(57)【要約】      （修正有）【課題】書状としての言語レベルを平準化しつつ現代社会の多様性にも対応した職務経歴書を簡易に作成する。【解決手段】サーバコンピュータは、各職種に関連する設問事項及びこの設問事項に対する回答例及び文字を配列するテキストエリアを含む複数の職務経歴書作成用フォームデータを蓄積したデータベースを具備し、端末コンピュータは、前記フォームデータを受信する受信手段と、前記設問事項に対する回答データをユーザが選択乃至は入力する入力手段と、当該回答データを送信する送信手段を具備し、該サーバコンピュータは受信した回答データを職務経歴書用の文書として前記テキストエリア内に配列すると共に、この回答データを前記回答例としてデータベース内に蓄積し、該端末コンピュータは受信した前記フォームデータのテキストエリア内に配列された当該回答データを表示手段によりディスプレイ装置上に表示すること。【選択図】図２
2008129819.tif 000002
【特許請求の範囲】
【請求項１】
端末コンピュータとサーバコンピュータがネットワークを介して接続された職務経歴書自動作成システムにおいて、
前記サーバコンピュータは少なくとも、各職種に関連する設問事項及びこの設問事項に対する回答例及び文字を配列するテキストエリアを含む複数の職務経歴書作成用フォームデータを蓄積したデータベースと、前記職種からユーザが選択した職種に対応する前記フォームデータを端末コンピュータに送信する送信手段と、前記設問事項に対してユーザが選択乃至は入力した回答データを端末コンピュータから受信する受信手段を具備し、
前記端末コンピュータは少なくとも、前記フォームデータをサーバコンピュータから受信する受信手段と、該フォームデータをディスプレイ装置上に表示する表示手段と、前記設問事項に対する回答データをユーザが選択乃至は入力する入力手段と、当該回答データをサーバコンピュータへ送信する送信手段を具備し、
該サーバコンピュータは受信した回答データを職務経歴書用の文書として前記テキストエリア内に配列すると共に、この回答データを前記回答例としてデータベース内に蓄積し、該端末コンピュータは受信した前記フォームデータのテキストエリア内に配列された当該回答データを前記表示手段によりディスプレイ装置上に表示することを特徴とする職務経歴書自動作成システム。
【請求項２】
前記設問事項は全て名詞乃至は数字によって回答できるよう設定され、
前記フォームデータは、端末コンピュータから受信した回答データの前後に配置する文字列のテンプレートデータを当該設問事項ごとに含み、
該テンプレートデータは文書表現の度合いに応じ簡素乃至丁寧までの複数段階に分類してサーバコンピュータに格納され、
作成する職務経歴書用の文書をいずれの段階に分類されたテンプレートデータによって表現するかを適宜選択可能な選択手段を備えた請求項１の職務経歴書自動作成システム。
【請求項３】
前記文書表現の度合いをスライドバーにより選択する請求項２の職務経歴書自動作成システム。
【請求項４】
端末コンピュータとサーバコンピュータをネットワークを介して接続する職務経歴書自動作成方法において、
前記サーバコンピュータを少なくとも、各職種に関連する設問事項及びこの設問事項に対する回答例及び文字を配列するテキストエリアを含む複数の職務経歴書作成用フォームデータを蓄積させたデータベースと、前記職種からユーザが選択した職種に対応する前記フォームデータを端末コンピュータに送信させる送信手段と、前記設問事項に対してユーザが選択乃至は入力した回答データを端末コンピュータから受信させる受信手段とから構成し、
前記端末コンピュータを少なくとも、前記フォームデータをサーバコンピュータから受信させる受信手段と、該フォームデータをディスプレイ装置上に表示させる表示手段と、前記設問事項に対する回答データをユーザが選択乃至は入力させる入力手段と、当該回答データをサーバコンピュータへ送信させる送信手段とから構成し、
該サーバコンピュータに受信させた回答データを職務経歴書用の文書として前記テキストエリア内に配列させると共に、この回答データを前記回答例としてデータベース内に蓄積させ、該端末コンピュータに受信させた前記フォームデータのテキストエリア内に配列した当該回答データを前記表示手段によりディスプレイ装置上に表示させることを特徴とする職務経歴書自動作成方法。
【請求項５】
前記設問事項を全て名詞乃至は数字によって回答できるよう設定し、
前記フォームデータに、端末コンピュータから受信した回答データの前後に配置する文字列のテンプレートデータを当該設問事項ごとに含ませ、
該テンプレートデータを文書表現の度合いに応じ簡素乃至丁寧までの複数段階に分類してサーバコンピュータに格納し、
作成する職務経歴書用の文書をいずれの段階に分類したテンプレートデータによって表現するかを適宜選択可能な選択手段を備えた請求項４の職務経歴書自動作成方法。
【請求項６】
前記文書表現の度合いをスライドバーにより選択させる請求項５の職務経歴書自動作成方法。
【発明の詳細な説明】
【技術分野】
【０００１】
本発明は、職務経歴書を簡易に作成するための職務経歴書自動作成システム及び方法に関する。
【背景技術】
【０００２】
就職や転職の際は、企業等に履歴書、職務経歴書を提出して求職活動をするのが通常である。履歴書については市販されているものもあって、住所、氏名、生年月日、学歴、職歴、取得資格等の記載欄で構成され、販売元メーカ等によって多少の違いはあるものの、書式についてはほぼ一定のフォームに従っているといえる。
【０００３】
然し乍ら、昨今の多様化した社会にあっては必要とされる人材も多岐に亘るため、既存の履歴書のフォームに則った記載内容では十分な情報を得られない場合がある。また、企業等においては事務手続きのペーパレス化が進んでいることもあって、紙媒体によらない履歴書等の作成と送付が望まれている。
【０００４】
この点については、求人側のニーズに応じて適宜変更可能な電子フォームに入力記載した履歴情報を、インターネットを媒介として送受信する技術など、既に種々の提案がなされている（特許文献１参照）。
【０００５】
一方これに対し、職務経歴書には一般的に定められた形式が存在しない。このため、それぞれの求職者で独自に作成した文章がその語学的な水準において大きな差異を孕むこととなり、受け取った求人者側のほうでもこれを有効な判断材料として利用しにくいという問題がある。
【０００６】
かかる問題については、テンプレートデータと、選択乃至は入力されたデータとの組合せによって文章を作成する自動文書作成装置に係る技術が研究されている（特許文献２参照）。しかし、流動的な現代社会のニーズに応じる多様なフレーズを予め用意した選択肢ウィンドウ内に格納しておくことは困難であり、また、求職者自身によって入力された文書には結局のところ上述の語学的な差異が含まれてしまうので、いずれにしても未だ問題は解決されずにある。
【特許文献１】特開２００３−１５７２４５
【特許文献２】特開平９−１１４８２７
【発明の開示】
【発明が解決しようとする課題】
【０００７】
本発明は上記のような事情に鑑み、書状としての言語レベルを平準化しつつ現代社会の多様性にも対応した職務経歴書を簡易に作成する職務経歴書自動作成システム及び方法を提供することを課題とする。
【課題を解決するための手段】
【０００８】
上記課題を解決することを目的としてなされた本発明職務経歴書自動作成システムの構成は、端末コンピュータとサーバコンピュータがネットワークを介して接続された職務経歴書自動作成システムにおいて、前記サーバコンピュータは少なくとも、各職種に関連する設問事項及びこの設問事項に対する回答例及び文字を配列するテキストエリアを含む複数の職務経歴書作成用フォームデータを蓄積したデータベースと、前記職種からユーザが選択した職種に対応する前記フォームデータを端末コンピュータに送信する送信手段と、前記設問事項に対してユーザが選択乃至は入力した回答データを端末コンピュータから受信する受信手段を具備し、前記端末コンピュータは少なくとも、前記フォームデータをサーバコンピュータから受信する受信手段と、該フォームデータをディスプレイ装置上に表示する表示手段と、前記設問事項に対する回答データをユーザが選択乃至は入力する入力手段と、当該回答データをサーバコンピュータへ送信する送信手段を具備し、該サーバコンピュータは受信した回答データを職務経歴書用の文書として前記テキストエリア内に配列すると共に、この回答データを前記回答例としてデータベース内に蓄積し、該端末コンピュータは受信した前記フォームデータのテキストエリア内に配列された当該回答データを前記表示手段によりディスプレイ装置上に表示することを特徴とするものである。
【０００９】
上記課題を解決することを目的としてなされた本発明職務経歴書自動作成方法の構成は、端末コンピュータとサーバコンピュータをネットワークを介して接続する職務経歴書自動作成方法において、前記サーバコンピュータを少なくとも、各職種に関連する設問事項及びこの設問事項に対する回答例及び文字を配列するテキストエリアを含む複数の職務経歴書作成用フォームデータを蓄積させたデータベースと、前記職種からユーザが選択した職種に対応する前記フォームデータを端末コンピュータに送信させる送信手段と、前記設問事項に対してユーザが選択乃至は入力した回答データを端末コンピュータから受信させる受信手段とから構成し、前記端末コンピュータを少なくとも、前記フォームデータをサーバコンピュータから受信させる受信手段と、該フォームデータをディスプレイ装置上に表示させる表示手段と、前記設問事項に対する回答データをユーザが選択乃至は入力させる入力手段と、当該回答データをサーバコンピュータへ送信させる送信手段とから構成し、該サーバコンピュータに受信させた回答データを職務経歴書用の文書として前記テキストエリア内に配列させると共に、この回答データを前記回答例としてデータベース内に蓄積させ、該端末コンピュータに受信させた前記フォームデータのテキストエリア内に配列した当該回答データを前記表示手段によりディスプレイ装置上に表示させることを特徴とするものである。
【００１０】
また、本発明の職務経歴書自動作成システム及び方法は、前記設問事項を全て名詞乃至は数字によって回答できるよう設定し、前記フォームデータに端末コンピュータから受信した回答データの前後に配置する文字列のテンプレートデータを当該設問事項ごとに含ませ、該テンプレートデータを文書表現の度合いに応じ簡素乃至丁寧までの複数段階に分類してサーバコンピュータに格納し、作成する職務経歴書用の文書をいずれの段階に分類したテンプレートデータによって表現するかを適宜選択可能な選択手段を備えるよう構成してもよい。さらに、この選択手段はスライドバー方式により簡易に文書表現を変更できるよう構成することが可能である。
【発明の効果】
【００１１】
本発明は、職務経歴書を作成するにあたって、各職種ごとに設定された設問事項に対してユーザが入力した回答データをサーバコンピュータのデータベース内に蓄積すると共に、該回答データを回答例として職務経歴書作成フォームの選択肢ウィンドウに表示するので、時流に対してほぼリアルタイムに対応する多様なフレーズを提示することができる。また、ユーザは提示された設問事項に対する回答をこの選択肢ウィンドウ内に列挙された回答例から選択して行うことができるので、文書を自ら作成することを不得手とする者であっても語学的に一定水準を保った職務経歴書を作成することが可能となる。さらに、全ての設問事項を名詞乃至は数字によって回答可能に設定し、該回答の前後に配する文字列を文書表現の度合いに応じて予め複数に分類してこれを適宜選択することで、丁寧なものから簡素なものまで職務経歴書の体裁を柔軟に変更することができる。この結果、ユーザが独自に作成した職務経歴書が有するその語学的水準における差異から、これを受け取った求人者側のほうでも判断材料として利用しにくいといった事態について完全に防止できるという効果を有する。
【発明を実施するための最良の形態】
【００１２】
次に、本発明の実施の形態例を図により説明する。図１は本発明のシステムブロック図、図２は本発明に係る職務経歴書自動作成方法の概略を示すフローチャート図、図３はＳ１の詳細を示すフローチャート図、図４はＳ２の詳細を示すフローチャート図、図５はＳ３の詳細を示すフローチャート図、図６はＳ４の詳細を示すフローチャート図、図７は自己の職務経歴に関する職種を選択するためのページを例示した図、図８は職務経歴書作成用フォームのディスプレイ装置上での表示態様を例示した図である。
【００１３】
図１において、Ｓｃはサーバコンピュータ（以下、サーバＳｃともいう）であって、外部と情報を交換するための送信部Ｓｓと受信部Ｓｒを具備すると共に、職務経歴書作成用のフォームデータを蓄積したデータベースＤＢを有している。また、Ｔｃは端末コンピュータ（以下、端末Ｔｃともいう）であって、外部からのデータを送受信するために、サーバＳｃと同様の送信部Ｔｓ、受信部Ｔｒを備えており、ネットワークを介しサーバＳｃと接続されている。
【００１４】
ユーザは端末Ｔｃの入力部Ｉから上記サーバＳｃのアドレスを入力してこれにアクセスし、データベースＤＢから自己の職務経歴に関する職種を選択するためのページ（図７を参照）を取得して、これを端末Ｔｃの表示部ＶＢから出力してディスプレイ装置Ｄ上に表示する。該ページには、約３０〜４０種類の職業を技術系、営業系、その他の３つに分類して、それぞれの分類の選択肢ウィンドウＷｊ内に格納してある。
【００１５】
ユーザにより適当な職種が選択されると、選択された職種に対応する職務経歴書作成用フォームデータＦＤがサーバＳｃの送信部Ｓｓから端末Ｔｃの受信部Ｔｒへ送信され、該フォームが表示部ＶＢを通じてディスプレイ装置Ｄ上に表示される。フォームデータＦＤには、少なくとも選択された職種に関連する設問事項ｑと、この設問事項ｑに対する回答例ａと、作成する職務経歴書用の文字を配列するためのテキストエリアＡが含まれており、サーバＳｃのデータベースＤＢ内に格納されている。なお、ここまでの手順は、図２においてセクション１（Ｓ１）と表示し、その詳細な手順を示すフローチャートの構成は図３の通りである。
【００１６】
上述のフォームは、上部にテキストエリアＡ、下部に設問事項ｑとその回答例ａを格納した選択肢ウィンドウＷａを具備している（図８を参照）。ユーザが設問事項ｑに対して回答すると、その回答とこれに対応して前後に配置される文字列とが、テキストエリアＡ内に表示される。一例としては、「主にどんな業務を担当していましたか。」との設問事項ｑに対し、「プログラミング」と回答すると、この回答に対応してその前後に配置される文字列「主に」、「を担当。」を伴って、「主にプログラミングを担当。」とテキストエリアＡ内に表示される。
【００１７】
設問事項ｑに対する回答は、選択肢ウィンドウＷａ内に列挙された回答例ａの中から一乃至複数を選択することができ、また、ユーザが自ら入力することも可能である。これにより、簡易な操作でありつつも多様なニーズに応じることのできる文書を作成でき、また、作成された文書は書状としての平均的なレベルを維持することが可能となる。ユーザは少なくとも一の設問事項ｑに回答する必要があるが、フォームに提示された全ての設問事項ｑに対して回答する必要はない。なお、セクション１からここまでの手順は、図２においてセクション２（Ｓ２）と表示し、その詳細な手順を示すフローチャートの構成は図４の通りである。
【００１８】
ユーザが端末Ｔｃから設問事項ｑに対する回答を入力乃至は選択すると、該回答データは送信部Ｔｓから受信部Ｓｒへと送られてデータベースＤＢ内に順次蓄積され、これに伴い選択肢ウィンドウＷａ内の回答例ａのデータが更新される。このため、ユーザは時流に対してほぼリアルタイムに対応する新鮮なフレーズを用いて職務経歴書を作成することができる。また、回答例ａの選択肢ウィンドウＷａにおいては、ユーザによる選択回数の多い順に列挙して表示することも任意である。なお、かかる手順は図２においてセクション３（Ｓ３）と表示し、その詳細な手順を示すフローチャートの構成は図５の通りである。
【００１９】
ユーザからの回答の前後に配置される文字列のテンプレートデータは、文書表現の度合いに応じて簡素なものから丁寧なものまで複数の段階に分類してデータベースＤＢ内に格納されている。ユーザはフォーム内に備えられたスライドバーＳｂを操作することによって、当該文字列の分類を簡易に選択変更することができる（図８を参照）。本実施例においては、簡素、やや簡素、やや丁寧、丁寧の４段階に分けて該文字列を分類している。例えば、「どんな成果を挙げましたか。」との設問事項ｑに対する「納期短縮」という回答の後に配置する文字列は、簡素な表現であれば「を達成。」、やや簡素な表現であれば「を達成する。」、やや丁寧な表現であれば「を達成しました。」、丁寧な表現なら「を達成することができました。」と分類され、作成される文書はそれぞれ「納期短縮を達成。」、「納期短縮を達成する。」、「納期短縮を達成しました。」、「納期短縮を達成することができました。」となる。これにより、ユーザは職務経歴書の体裁を簡易かつ柔軟に変更することができることとなる。なお、かかる手順は図２においてセクション４（Ｓ４）と表示し、その詳細な手順を示すフローチャートの構成は図６の通りである。
【００２０】
ユーザはテキストエリア内に表示された職務経歴書用の文書を、自己の端末Ｔｃに格納し、或いは、出力部Ｏからプリントアウトして、これを就職乃至は転職の際の書状として用いることができる。
【産業上の利用可能性】
【００２１】
本発明は以上の通りであって、職務経歴書を作成するにあたって、各職種ごとに設定された設問事項に対してユーザが入力した回答データをサーバコンピュータのデータベース内に蓄積すると共に、該回答データを回答例として職務経歴書作成フォームの選択肢ウィンドウに表示するので、時流に対してほぼリアルタイムに対応する多様なフレーズを提示することができ、また、ユーザは提示された設問事項に対する回答をこの選択肢ウィンドウ内に列挙された回答例から選択して行うことができるので、文書を自ら作成することを不得手とする者であっても言語学的に一定水準を保った職務経歴書を作成することが可能となり、さらに、全ての設問事項を名詞乃至は数字によって回答可能に設定し、該回答の前後に配する文字列を文書表現の度合いに応じて予め複数に分類しこれを適宜選択することで、丁寧なものから簡素なものまで職務経歴書の体裁を柔軟に変更することができるので、この結果として、ユーザが独自に作成した職務経歴書が有するその語学的水準における差異から、それを受け取った求人者側のほうでも判断材料として利用しにくいといった事態について完全に防止できるという効果を有するから、職務経歴書自動作成システム及び方法に適用してきわめて有用である。
【図面の簡単な説明】
【００２２】
【図１】本発明のシステムブロック図
【図２】本発明に係る職務経歴書自動作成方法の概略を示すフローチャート図
【図３】Ｓ１の詳細を示すフローチャート図
【図４】Ｓ２の詳細を示すフローチャート図
【図５】Ｓ３の詳細を示すフローチャート図
【図６】Ｓ４の詳細を示すフローチャート図
【図７】自己の職務経歴に関する職種を選択するためのページを例示した図
【図８】職務経歴書作成用フォームのディスプレイ装置上での表示態様を例示した図
【符号の説明】
【００２３】
Ｓｃ    サーバコンピュータ
Ｔｃ    端末コンピュータ
ＤＢ    データベース
ＶＢ    表示部
ｒ      受信部
ｓ      送信部
Ｉ      入力部
Ｏ      出力部
Ｄ      ディスプレイ装置
ＦＤ    職務経歴書作成用フォームデータ
Ｗ      選択肢ウィンドウ
Ａ      テキストエリア
Ｓｂ    スライドバー
ｑ      設問事項
ａ      回答例
【図１】
2008129819.tif 000003
【図２】
2008129819.tif 000004
【図３】
2008129819.tif 000005
【図４】
2008129819.tif 000006
【図５】
2008129819.tif 000007
【図６】
2008129819.tif 000008
【図７】
2008129819.tif 000009
【図８】
2008129819.tif 000010